(57)【要約】【課題】  ライブ形式セミナのユーザー端末へのリアルタイム配信を仲介する方法およびその管理方法に関するものであり、従来技術では上記を実現するためにはセミナ主催者が個別に環境を構築する必要があり、大きな作業負担となっていた。また、ユーザーがこうしたWebで提供されているセミナを簡単に見つけられるような仕掛けがされていないという問題があった。【解決手段】  セミナ主催者であるメンバ11とそれらが提供するセミナの情報を登録・管理するメンバ管理機能105、セミナ情報処理機能106およびセミナ閲覧者であるユーザー12の情報を登録・管理するユーザー管理機能107とユーザーのセミナ閲覧状態を監視し必要な処理を一元的に行う閲覧状態監視機能108、閲覧終了後処理機能109をそなえた電子セミナ事務局10が提供する、電子セミナシステムにより解決する。【選択図】  図１
2005309629.tif 000002
【特許請求の範囲】
【請求項１】
セミナ主催者（メンバと呼ぶ）とユーザーとの間を仲介する「電子セミナ事務局」によ
りメンバ情報の管理とセミナ情報の管理およびユーザー情報の管理および閲覧状態監視機
能、閲覧終了後処理機能を備えることを特徴とする電子セミナシステム。
【請求項２】
請求項１の電子セミナシステムにおいて、メンバ情報およびこれが提供するセミナ情報
を管理するデータベースを備え、Webブラウザ上でメンバの募集と登録および登録料の支
払いを実施し、受け付けた情報と各メンバから寄せられたセミナ情報を一元的に管理、配
信する機能を備えることを特徴とする電子セミナシステム。
【請求項３】
ユーザーの個人情報を管理するデータベース、および閲覧を終了したユーザーから回収
したアンケート情報を管理するデータベースを備え、Webブラウザ上でユーザーの募集と
登録を実施し、同時にセミナ閲覧画面をWebブラウザに表示させ、一覧からのセミナまた
はセッションの選択、アンケート入力と課金申請を可能にし、必要に応じて課金処理を実
施する閲覧状態監視機能を備えることを特徴とする電子セミナシステム。
【請求項４】
セミナ閲覧画面において、アンケートURLを自動で呼び出し、返信のあったアンケート
をデータベースへ登録し、メンバ・セミナごとにソートしたのち該当メンバへフィードバ
ックする閲覧終了後処理機能を備えることを特徴とする電子セミナシステム。
【発明の詳細な説明】
【技術分野】
【０００１】
本発明は、ライブ形式セミナのユーザー端末へのリアルタイム配信を仲介する方法およ
びその管理方法に関するものである。
【背景技術】
【０００２】
従来は、リアルで実施されるセミナ（製品や技術、サービスなどをPRし、市場を広げる
プロモーションの一環として実施されるもの）はもとより、ビデオ録画されたセミナをVO
Dなどの技術を用いて配信するサービスなどが存在した。また、英会話教室のサービスな
どで多く見受けられるような、自宅のテレビに専用の外部装置を設置し講師とのレッスン
をリアルタイムで実施するサービスや、インターネット回線に音声をのせるVoIP(Voice o
ver IP)を通じて行われるインターネット会議も一般的に知られるようになった。
【０００３】
さらに近年では特開２００３−９１３２号公報に記載されているように各拠点に設置し
たカメラをクライアント側で選択し、その情報を閲覧したり、カメラの設定変更を行うこ
とができるため、リアルタイムの映像をクライアントマシン上で、特別な外部装置を用い
ることなくインターネットを経由して閲覧することも可能となった。
【０００４】
また、映像の一方向/相互の配信だけでなく映像と連続してアンケートに代表されるよ
うなテキストフォーマットの送付、返信を行うことも、映像終了後にHTML(HyperText Mar
kup Language)で記述されたインターネット情報を指定するURL(Universal Resource Loca
tor)を呼び出すことで実現できた（特開平１０−３３３９５６号公報）。
【０００５】
上記に代表される技術を用い、現在ではインターネット環境を利用したさまざまなWeb
セミナが実施されている。
【０００６】
【特許文献１】特開２００３−９１３２号公報
【特許文献２】特開平１０−３３３９５６号公報
【発明の開示】
【発明が解決しようとする課題】
【０００７】
しかし、上記の従来技術ではセミナ主催者がWebセミナを開催しようとするとき、上記
の環境を個別に構築する必要があり、大きな作業負担となっていた。また、ユーザーがこ
うしたWebで提供されているセミナを簡単に見つけられるような仕掛けがされていなかっ
た。
【０００８】
本発明の目的は、上記のようなセミナ主催者の負担を軽減し、一方ユーザーがWeｂセミ
ナに参加しやすい環境を提供することである。
【課題を解決するための手段】
【０００９】
上記目的を達成するために、セミナ主催者とユーザーを仲介する電子セミナ事務局を設
け、セミナ主催者が提供するライブ放送可能なセミナ情報を収集・統合・リアルタイム配
信できるようにしたものである。
【００１０】
一方、ユーザーサイドに対しては専用のセミナ検索Webサイトを構築することで個人の
端末から複数のライブセミナの検索と同一セミナ内の複数セッションの検索を可能とし、
会場に出向くことなくライブで実施されるセミナの一連の流れを聴講することを可能とし
たものである。
【００１１】
さらに、上記目的を実現するためすべての機能を集約し、その効率的な運用を実現可能
にするものである。
【発明の効果】
【００１２】
本発明によれば、電子セミナ事務局がセミナ主催者を仲介してセミナ情報を収集・統合
・配信を実施するため、セミナ主催者がWebセミナを実施する際の負担を軽減できるとい
う利点がある。本発明の他の利点は、電子セミナ事務局が専用のWeb画面にて常に最新のW
ebセミナ情報を一覧として提供するため、ユーザーは従来のように個々人で情報収集する
という煩雑さをなくすことができる点である。
【発明を実施するための最良の形態】
【００１３】
以下、本発明の実施例を図面に基づいて詳細に説明する。
【００１４】
図１は、本発明による電子セミナシステムの全体構成を示すものである。セミナ主催者
であるメンバ11とセミナ閲覧者であるユーザー12の間に、メンバ情報を格納するメンバ情
報管理DB101、メンバが提供するセミナに関する情報を格納するセミナ情報管理DB102、ユ
ーザー情報を格納するユーザー情報管理DB103、そしてユーザーの提出したアンケートの
内容を格納するアンケート管理DB104を備えた電子セミナ事務局10がWebサーバ30とネット
ワークを介して設置されている。電子セミナ事務局10には、メンバ11の情報を登録・管理
するメンバ管理機能105と、セミナ情報を統合・掲載・配信するセミナ情報処理機能106が
備えられている。さらに、電子セミナ事務局10はユーザーの個人情報を管理するユーザー
管理機能107、ユーザーのセミナ閲覧状況や課金の有無を確認する閲覧状態監視機能108、
閲覧終了後のアンケートの回収とメンバ11へのフィードバックを行う閲覧終了後処理機能
109を備えている。
【００１５】
図２はメンバ11の登録情報を管理するメンバ情報管理DB101に格納されているメンバ情
報管理テーブル20である。ここには、メンバ11を一意に認識するためのメンバNo.201、メ
ンバ11の固有名称を登録するメンバ名202、住所203、外線電話204、外線FAX205、代表者
氏名206、登録年月日207、メンバ11によって実施されるセミナを一意に識別するためのセ
ミナNo.208、登録料の支払い有無を示す登録料209の項目があり、それぞれ情報が格納さ
れている。なお、メンバNo.201、登録年月日207、セミナNo.208および登録料209は、メン
バ管理機能105が持つメンバ追加情報付与機能1053によって自動的に登録される。
【００１６】
図３はメンバ11により登録された、メンバ11が配信するセミナについての情報を管理す
るセミナ情報管理DB102に格納されているセミナ情報管理テーブル21である。ここには、
メンバ11によって提供されるセミナを一意に認識するためのセミナNo.210、セミナ開催日
程を登録する開催日211、セミナの開始時刻212、終了時刻213、セミナタイトル214、セミ
ナ概要215、セミナごとに異なる内容のアンケートを一意に識別するためのアンケートNo.
216と、セミナ閲覧に対する課金の有無を示した課金217の項目があり、それぞれ情報が格
納されている。なお、セミナNo.210はメンバ管理機能105が持つメンバ追加情報付与機能1
053によって、メンバ情報管理テーブル20のセミナNo.208に登録された値が自動的にコピ
ーされ、アンケートNo.216は同機能によって自動的に登録される。
【００１７】
図４はセミナを閲覧するユーザー情報を管理するユーザー情報管理DB103に格納されて
いるユーザー情報管理テーブル22である。ここには、各ユーザーを一意に認識するための
ユーザーNo.221、ユーザーの氏名を登録するユーザー名222、ユーザーの住所223、電話番
号224、ユーザーが専用Web画面にログインしてセミナ情報を閲覧するためのユーザーID22
5とパスワード226の項目があり、それぞれ情報が格納されている。なお、ユーザーNo.221
は、ユーザー管理機能107が持つユーザー追加情報付与機能1073によって自動的に登録さ
れる。
【００１８】
図５はユーザーが提出したアンケートの内容を管理するアンケート管理DB104に格納さ
れているアンケート管理テーブル23である。アンケート管理テーブル23はセミナ情報管理
テーブル21にアンケートNo.216が登録されるたびに生成され、アンケート管理テーブル23
としてアンケートNo.230ごとに管理される。ひとつのテーブルには、アンケートに回答し
たユーザーのユーザーNo.231およびアンケートの問いに所定の番号によって回答した内容
を格納する質問１232、質問２233、質問３234、質問４235、資料送付希望236、ノベルテ
ィ希望237、個別対応希望238の項目があり、それぞれ情報が格納されている。なお、各テ
ーブルに与えられるアンケートNo.230はメンバ管理機能105が持つメンバ追加情報付与機
能1053によって、セミナ情報管理テーブル21のアンケートNo.216に登録された値が自動的
にコピーされる。また、ユーザーNo.は閲覧終了後処理機能109が持つアンケート情報登録
機能1091によって、ユーザーがセミナを閲覧後、ユーザー情報管理テーブル22のユーザー
No.221に登録されている値が自動的にコピーされ、閲覧中のセミナに該当するアンケート
No.230のテーブルに追加される。
【００１９】
図６は電子セミナ事務局10が行うメンバ管理機能105についての詳細を示したものであ
る。まず電子セミナ事務局10はメンバ管理機能105のメンバ登録情報管理機能1051により
メンバ11の登録環境を提供する。その手順は以下のとおりである。電子セミナ事務局10は
Webサーバ30を持ち、これを利用しメンバ11管理専用のWebサイトであるメンバ登録画面30
1、セミナ情報登録画面302、登録料振込み画面303を提供する。メンバ11はメンバ登録画
面301にてメンバ情報を、セミナ情報登録画面302にてセミナ情報を入力し、登録料振込み
画面303にてメンバ登録料の支払いを行う。
【００２０】
メンバ登録画面301にて登録された情報はメンバ管理機能105のメンバDB登録機能1052に
よってメンバ情報管理DB101へ追加される。またメンバNo.201、登録年月日207、セミナNo
.208などのメンバ11が自ら入力した以外の情報は図２で説明されているように、メンバ追
加情報付与機能1053によってメンバ情報管理テーブル20の各項目に自動的に登録される。
さらに登録料振込み画面303にてメンバ登録料金の支払いがされたことが確認されると同
じくメンバ追加情報付与機能1053によって、メンバ情報管理テーブル20の登録料209の項
目へ「振込み済み」が追加される。
【００２１】
セミナ情報登録画面302にて登録された情報はメンバ管理機能105のメンバDB登録機能10
52によってセミナ情報管理DB102へ追加され、同時に図３で説明されているように、メン
バ追加情報付与機能1053によって、メンバ情報管理テーブル20に登録されているセミナNo
.208が自動的にコピー・追加され、さらに同機能によってアンケートNo.216が自動的に登
録される。これらの処理をもってセミナ主催者であるメンバ11の登録が完了する。
【００２２】
図７は電子セミナ事務局10が行うセミナ情報処理機能106についての詳細を示したもの
である。電子セミナ事務局10はWebサーバ30を利用してメンバ11から収集したセミナを統
合管理し、ユーザー12へ向けて配信する。またWebサーバ30はユーザー12がセミナを閲覧
するための専用Webサイトであるログイン画面311、セミナ一覧画面312、セミナ閲覧画面3
13および図８で説明されるクレジット処理画面314とクレジット確認画面315および課金ダ
イアログBOX316を提供する。メンバ11が提供するセミナが電子セミナ事務局10で統合され
、ユーザー12の専用画面へ配信されるまでの手順は以下のとおりである。メンバ11は、メ
ンバ登録時に申請した日時に実施されるセミナを既存技術を用いて生中継データとして電
子セミナ事務局10へ配信する。これらの情報はWebサーバ管理機能1061によってWebサーバ
30に登録される。電子セミナ事務局10は同じくWebサーバ管理機能1061によって、事前に
登録されたセミナ情報を元に現在時刻とセミナの開始時刻、終了時刻の突合せを行い、ラ
イブで実施されるセミナのみをセミナ一覧画面312へ表示する。ただし、一覧表示の別の
方法として、開始時刻を経過してから30分以内であれば表示する、一日のうちに開催され
るものはすべて表示するなどの選択も可能とする。一覧表示されたセミナはユーザー12が
セミナ閲覧を希望したとき、セミナデータ配信機能1062によってセミナ閲覧画面313にて
順次ユーザー12へ提供される。ユーザー12はログイン画面311上で、登録時に取得したユ
ーザーID225およびパスワード226にてログイン後、セミナ一覧画面312で閲覧するセミナ
を選択し、セミナ閲覧画面313で希望のセミナを閲覧する。セミナが有料であった場合は
課金ダイアログBOX316を表示した後、クレジット処理画面314およびクレジット確認画面3
15で課金申請を行う。クレジット処理については図8の閲覧状態監視機能108で説明する。
また、セミナ配信後は終了監視機能1063によってセミナ情報管理テーブル21を参照し、該
当セミナがセミナ終了時刻を経過しているか、またはユーザー12によって「閲覧終了」ボ
タンが押されたかを判定する。
【００２３】
図８は電子セミナ事務局10が行うユーザー管理機能107、閲覧状態監視機能108について
の詳細を示したものである。まず電子セミナ事務局10は、ユーザー管理機能107のユーザ
ー登録情報管理機能1071によりユーザー12の登録を行う。その手順は以下のとおりである
。電子セミナ事務局10はWebサーバ30を利用し、ユーザー12専用のWebサイトであるユーザ
ー登録画面321を提供する。ユーザー登録画面321ではユーザー12によって個人情報の入力
が行われる。これら情報はユーザーDB登録機能1072によってユーザー情報管理DB103へ格
納される。DB登録されたユーザー情報に対してはユーザー追加情報付与機能1073によって
、ユーザー12を一意に識別するためのユーザーNo.221がユーザー情報管理テーブル22に追
加される。またWebサーバ30によってパスワード登録画面322が提供され、ユーザー12は同
画面を用いて任意のパスワードを設定する。ここで設定された値はユーザー追加情報付与
機能1073によってパスワード登録画面322で自動的に割り振られ、各ユーザーに与えられ
るユーザーID225とともにユーザー情報管理テーブル22へ格納される。
【００２４】
次に閲覧状態監視機能108について以下に示す。電子セミナ事務局10は課金判定機能108
1によってユーザーが図７で説明されているセミナ一覧画面312で選択したセミナについて
、セミナ情報管理テーブル21を参照し、その課金情報を判定する。セミナが有料であり、
かつWebサーバ30が提供する課金ダイアログBOX316による課金同意可否の問いかけに対し
て同意があったとき、Webサーバ30によって提供されるクレジット処理画面314を表示する
。ユーザー12による入力およびクレジット確認画面315によって内容の確認が行われた後
、課金処理機能1082によってユーザーが入力したクレジット情報の処理と料金の徴収を行
う。これらの処理については図１２で詳細に説明する。
【００２５】
図9は電子セミナ事務局10が行う閲覧終了後処理機能109についての概要を示したもので
ある。ここでは、ユーザー12がセミナ閲覧を終了後、アンケートの回答を促し、回答され
たアンケートを集約し、メンバ11へフィードバックする一連の処理がされる。
【００２６】
まず、アンケート情報登録機能1091によってユーザー12が閲覧中のセミナを特定し、対
応するアンケートを呼び出し、さらにアンケートフォーマットにユーザーNo.221、ユーザ
ー名222、アンケートNo.216を表示させる。またWebサーバ30により、アンケート入力画面
331およびアンケート依頼ダイアログBOX332を提供する。セミナ終了後、URL自動呼出し機
能1092によってユーザー端末へアンケート依頼ダイアログ332を、ユーザー12がアンケー
トに同意すればアンケート入力画面331を表示させる。ユーザー12によってアンケートに
回答がされた後、アンケート情報登録機能1091によってアンケート管理テーブル23の該当
するアンケートNo.230のテーブルに対し、ユーザーNo.221を追加する。またDB登録機能10
93によってアンケート管理DB104のアンケート管理テーブル23へアンケート情報が格納さ
れる。アンケート管理DB104に格納されたデータは、電子セミナの予定プログラムがすべ
て終了した後ソート機能1094によってユーザー情報とのマッチングがされ、フィードバッ
ク機能1095によって分類されたデータを該当するセミナを開催したメンバ11へ送信する。
【００２７】
図１０は電子セミナシステムにおいてユーザー12が実際に行う一連の流れをフロー図に
よって表したものである。ユーザーはログイン画面311を訪れ（410）ユーザーID225とパ
スワード226を入力してログインし（411）ユーザーID225・パスワード226が正当であった
場合（412）Webセミナのトップ画面であるセミナ一覧画面312を閲覧する。（413）ユーザ
ーID225、またはパスワード226が不正であった場合、警告メッセージを表示してログイン
画面へ戻る。（414）ユーザー12はセミナ一覧画面312から閲覧を希望するセミナを選択し
（415）、選択したセミナを閲覧する。（416）このとき、セミナが閲覧開始より5分経過
し、かつ有料セミナだった場合（417）、課金ダイアログBOX316を表示し（418）そうでな
かった場合、画面の切り替え要求があればセミナ一覧画面312へ戻り、そうでなければ選
択されたセミナ画面へ戻る。（419）ユーザーが課金に同意すれば（420）クレジット処理
をし（421）続きのセミナ画面を表示する（422）。また、ユーザーの課金に対する同意が
なければセミナ一覧へ戻る。引き続きセミナを閲覧し、セミナが終了、もしくはユーザー
が自らセミナの「閲覧終了」ボタンを押すと（423）アンケート入力画面が表示される（4
24）。またそうでない間はセミナを継続する。ユーザーがアンケート送信ボタンを押下し
たところで（425）ユーザーによる一連の作業が終了する。
【００２８】
図１１は電子セミナシステムにおいて電子セミナ事務局10が実現する一連の機能の流れ
をフロー図によって表したものである。電子セミナ事務局10はログイン画面311を提供し
、（510）ユーザー情報管理DB103のユーザー情報管理テーブル22を参照して入力されたユ
ーザーID225とパスワード226が正当であるか否か判定する。（511）判定の結果正当であ
れば（512）セミナ情報処理機能106が持つWebサーバ管理機能1061によって、セミナ情報
管理テーブル21を参照し、現在時刻とセミナの開始時刻212、終了時刻213の突合せを行い
（513）、現在時刻にライブで実施可能なセミナのみを抽出する（514）。続いてWebセミ
ナのトップ画面であるセミナ一覧画面312を提供する（515）。ユーザー12が一覧から特定
のセミナを選択した場合、セミナ情報処理機能106のセミナデータ配信機能1062によって
、セミナ情報管理テーブル21を参照し、該当するセミナの配信を開始し（516）、順次セ
ミナ閲覧画面313を提供する（517）配信中のセミナが有料セミナであった場合、クレジッ
ト処理などの閲覧状態監視処理を行い（518）、処理を行わない場合はセミナ一覧画面312
へ戻る。これについては図１２で詳細に説明する。続いて電子セミナ事務局10はセミナ情
報処理機能106の終了監視機能1063によりセミナの終了監視を行う（519）。終了監視では
、セミナ情報管理テーブル21を参照し、該当セミナがセミナ終了時刻を経過していること
を確認する、またはユーザー12によって「閲覧終了」ボタンが押されたことを確認する。
このどちらかが確認されたら閲覧終了後処理を行い（520）一連の処理を終了する。なお
閲覧終了後処理（520）については図１３で詳細に説明する。
【００２９】
図１２は有料のセミナが開催された場合、電子セミナ事務局10が閲覧状態監視機能108
によって行う閲覧状態監視処理（518）の詳細を示したものである。まず電子セミナ事務
局10は課金判定機能1081によって閲覧中のセミナが有料でかつ5分以上の閲覧があるかど
うかを判定する（610）。この判定結果が真であった場合、課金処理機能1082によって課
金通知ダイアログBOX316の表示を行い（611）、判定が偽であった場合は通常の配信状態
を続行する。課金通知ダイアログBOX316の表示（611）により、ユーザーが課金に同意す
るか否かを判定する（612）。この結果が偽であった場合（ユーザーが課金に同意しなか
った場合）、閲覧状態監視処理（518）を終了する。また結果が真であった場合は同じく
課金処理機能1082によってクレジット処理画面314を呼び出し、ユーザーに必要事項の入
力を促す（613）。ユーザーの入力後、クレジット確認画面315によって入力内容に間違い
のないことを確認し（614）、課金処理を行う（615）。これにより閲覧状態監視処理（51
8）を終了する。
【００３０】
図１３はユーザーからのアンケート回収と、メンバ11へのアンケートフィードバックに
ついて、電子セミナ事務局10が行う閲覧終了後処理（520）の詳細を示したものである。
まず電子セミナ事務局10はアンケート情報登録機能1091によってセミナ情報管理DB102の
セミナ情報管理テーブル21を参照して閲覧中のセミナに該当するアンケートNo.216を抽出
する（710）。同様にユーザー情報管理DB103のユーザー情報管理テーブル22を参照して該
当するユーザーNo.221とユーザー名222を抽出する（711）。これらをアンケートフォーマ
ットに表示させる（712）。セミナ情報処理機能106の終了監視機能1063によってセミナの
終了が確認されたら（713）、Webサーバ30はアンケートの記入を依頼するアンケート依頼
ダイアログBOX332を表示させ（714）、ユーザーからの同意があるかどうかを判定し（715
）、結果が真であった場合は閲覧終了後処理機能109のURL自動呼出し機能1092によってユ
ーザーが閲覧中のセミナに対応するアンケートフォーマットのURLを呼び出し、表示させ
る（716）。また結果が偽であった場合は閲覧終了後処理（520）を終了する。ユーザーが
アンケート入力後、送信ボタンが押されれば電子セミナ事務局10にて回収される（718）
。回収後のアンケート情報は該当するユーザーNo.221とともにアンケート情報登録機能10
91によってアンケート管理テーブル23へ追加される（719）。アンケート管理テーブル23
に格納されたデータは、ソート機能1093によってユーザー情報とのマッチングがされ（72
0）、フィードバックデータとして分類される（721）。分類されたデータは、フィードバ
ック機能1094によってそれぞれ該当するセミナを開催したメンバ11へ送信される（724）
。これにより閲覧終了後処理（520）を終了する。
【図面の簡単な説明】
【００３１】
【図１】本発明の概要を示す全体構成図である。
【図２】電子セミナ事務局10が管理するメンバ情報管理DB101の詳細を示すテーブル20である。
【図３】電子セミナ事務局10が管理するセミナ情報管理DB102の詳細を示すテーブル21である。
【図４】電子セミナ事務局10が管理するユーザー情報管理DB103の詳細を示すテーブル22である。
【図５】電子セミナ事務局10が管理するアンケート管理DB104の詳細を示すテーブル23である。
【図６】電子セミナ事務局10が行うメンバ管理機能105についての詳細を示したものである。
【図７】電子セミナ事務局10が行うメンバ管理機能106についての詳細を示したものである。
【図８】電子セミナ事務局10が行うユーザー管理機能107、閲覧状態監視機能108についての詳細を示したものである。
【図９】電子セミナ事務局10が行う閲覧終了後処理機能109についての概要を示したものである。
【図１０】電子セミナシステムにおいてユーザー12が実際に行う一連の流れをフロー図によって表したものである。
【図１１】電子セミナシステムにおいて電子セミナ事務局10が実現する一連の機能の流れをフロー図によって表したものである。
【図１２】有料セミナが開催された場合の課金方法について詳細を示したフローチャートである。
【図１３】ユーザー12からのアンケート回収と、メンバ11へのアンケートフィードバックについての詳細を示したフローチャートである。
【符号の説明】
【００３２】
10…電子セミナ事務局、11…メンバ、12…ユーザー、30…Webサーバ、101…メンバ情報
管理DB、102…セミナ情報管理DB、103…ユーザー情報管理DB、104…アンケート管理DB、1
05…メンバ管理機能、106…セミナ情報処理機能、107…ユーザー管理機能、108…閲覧状
態監視機能、109…閲覧終了後処理機能。
【図１】
2005309629.tif 000003
【図２】
2005309629.tif 000004
【図３】
2005309629.tif 000005
【図４】
2005309629.tif 000006
【図５】
2005309629.tif 000007
【図６】
2005309629.tif 000008
【図７】
2005309629.tif 000009
【図８】
2005309629.tif 000010
【図９】
2005309629.tif 000011
【図１０】
2005309629.tif 000012
【図１１】
2005309629.tif 000013
【図１２】
2005309629.tif 000014
【図１３】
2005309629.tif 000015